(57)【要約】【課題】固形石鹸の詰め替えに際して、固形石鹸と一体のナットや石鹸上下用円板などの不要物が生じないようにして、かつ詰め替えが簡単に行えるようにし、固形石鹸を用いた部分洗いに適した道具を提供する。【解決手段】石鹸ホルダー１を、柱状の固形石鹸の端部を着脱可能に保持するスライダー４と、両端部を開口とした筒体２とを具備してなるものとされていて、筒体２の内部に固形石鹸３を保持するスライダー４を移動可能に収容し、スライダー４の移動により固形石鹸３を一端部の開口６から進退可能にした。【選択図】図２
2019080625.tif 000002
【特許請求の範囲】
【請求項１】
柱状の固形石鹸の端部を着脱可能に保持するスライダーと、両端部を開口とした筒体とを具備し、前記筒体は、内部に前記固形石鹸とこの固形石鹸を保持する前記スライダーを移動可能に収容していて、前記筒体の一端部の開口は、前記スライダーの移動により固形石鹸が進退可能な開口とされ、前記筒体の他端部の開口は、固形石鹸とこの固形石鹸を保持するスライダーとが筒体の内部に出し入れ可能な開口とされていて、前記スライダーは、筒体に係止してこの筒体に対する位置決めが可能とされ、スライダーの前記筒体に対する係止により、前記固形石鹸が筒体に対して位置決めされる構成を有することを特徴とする石鹸ホルダー。
【請求項２】
上記筒体の筒壁に、上記スライダーの移動方向にして長孔状のガイド孔が開口されて、このガイド孔に沿って複数の爪形状とされた係止片が並べ設けられており、スライダーが前記複数の係止片に係脱可能に係止して、このスライダーの係止位置の変更により、上記固形石鹸の筒体に対する位置決め位置が変更可能とされている請求項１に記載の石鹸ホルダー。
【請求項３】
上記筒体における一端部の開口側には、上記スライダーが当接して該スライダーが前記一端部の開口から抜け出るのを規制する規制手段が設けられている請求項１または２に記載の石鹸ホルダー。
【請求項４】
上記スライダーには、上記筒体の内側から上記係止片に係脱可能に係止するストッパーと、前記ストッパーの係止片に対する係止を解除するロック解除用ボタンとが設けられている請求項１から３の何れか一項に記載の石鹸ホルダー。
【請求項５】
上記筒体の下端部に筒壁を外方に張り出した凸部を有し、この凸部に、上記ガイド孔の下端に連続し、上記スライダーのロック解除用ボタンが通過可能とされている挿通孔が開口されている請求項４に記載の石鹸ホルダー。
【請求項６】
上記スライダーは、上記固形石鹸の端部を一対の挟持体で挟み込んで保持する構造を有するものであって、前記一対の挟持体と、この一対の挟持体の間に位置して挟持体それぞれを回動可能に連結する作動バネとを備えていて、一対の挟持体の間の開け閉めにより、スライダーが固形石鹸の端部に着脱可能に保持する構成とされている請求項１から５の何れか一項に記載の石鹸ホルダー。
【請求項７】
上記挟持体それぞれは、固形石鹸の周方向に係止する係止フレームと開閉操作片とからなり、一対の挟持体における前記開閉操作片の間の開け閉めにより前記係止フレームの間を開け閉めして、スライダーが固形石鹸の端部に着脱可能とされている請求項６に記載の石鹸ホルダー。
【請求項８】
上記挟持体の係止フレームと開閉操作片との間に、水抜き開口が設けられている請求項７に記載の石鹸ホルダー。
【請求項９】
上記筒体の筒壁には、スライダーの移動方向に沿って複数の孔が開口されて、この孔は、上記係止片への係止によりスライダーが位置決めされる位置ごとに配置されており、前記スライダーは、前記孔に係脱可能に係止する凸体を有していて、筒体内を移動するスライダーが位置決め位置に到達したときに、凸体の前記孔に対する係止によりスライダーが位置決め位置で移動停止可能に設けられているとともに、凸体が孔に衝突して衝突音を発する構成とされている請求項１から８の何れか一項に記載の石鹸ホルダー。
【請求項１０】
上記筒体の内面には、この筒体の長さ方向に沿って位置し、上記固形石鹸が摺接可能とされたリブが設けられている請求項１から９の何れか一項に記載の石鹸ホルダー。
【請求項１１】
上記リブには上記スライダーが摺接して、このリブとの摺接によりスライダーが筒体の長手方向に移動可能に案内される請求項１０に記載の石鹸ホルダー。
【請求項１２】
上記筒体の他端部の開口の開口周縁に、切り欠きが設けられている請求項１から１１の何れか一項に記載の石鹸ホルダー。
【請求項１３】
上記筒体は角柱状とされているものである請求項１から１２の何れか一項に記載の石鹸ホルダー。
【請求項１４】
ブラシを有するキャップを備えていて、該キャップは、上記筒体の両端部の開口の何れにも着脱可能とされている請求項１から１３の何れか一項に記載の石鹸ホルダー。
【請求項１５】
上記ブラシは、先端形状が異なる毛が交互に配置されてなるものである請求項１４に記載の石鹸ホルダー。
【発明の詳細な説明】
【技術分野】
【０００１】
本発明は、柱状の固形石鹸を一端の開口から進退可能となるように収容することができる石鹸ホルダーに関するものである。
【背景技術】
【０００２】
従来からワイシャツの襟汚れやソックスの部分汚れなどのように部分的に汚れが目立つ洗濯物を洗濯する場合、予めその汚れ部分に洗剤を付けて予洗いすることが多く行われている。そしてその部分洗いでは、固形石鹸（固形の洗濯石鹸）を汚れ部分に擦り付けてもみ洗いしたり、固形石鹸から歯ブラシなどに少量の石鹸分を移し取り、その歯ブラシなどで汚れ部分を擦り洗いすることが行われている。
【０００３】
洗濯する場合、固形石鹸または洗濯物を濡らして行うが、石鹸が濡れると滑ったり、また手がべたつくなど、取扱いが容易ではなく、このような固形石鹸を直接擦り付けることができるように、専用容器に固形石鹸を充填した用具が従来から提案されている。
【０００４】
例えば特許文献１に示された石鹸容器は、角柱状の容器の内側に、中央のネジ棒を取り囲む形で石鹸を配置させ、容器の端部にネジ棒を連結しているつまみが位置しているものであって、つまみを回転させることで容器内にあるナットが移動し、そのナットと一体的となっている石鹸が容器の一端の開口から繰り出されるようにしている。
【０００５】
また特許文献２に示された口紅型容器入り石鹸にあっても、外筒の内側に、中央の上下用スクリューを取り囲む形で石鹸を配置し、外筒の端部に前記上下用スクリューを連結している回転板が位置している用具であり、回転板を回転させることで外筒内にある石鹸上下用円板が移動し、石鹸上下用円板と一体的となっている石鹸が外筒の一端の開口から繰り出されるようにしている。
【０００６】
さらに特許文献３にはスクイズして収容薬剤を注出口から注出できるようにした容器であって、注出口の周りにブラシを設けた工夫が示されており、この工夫を、部分洗いの液体洗剤を収容する容器として採用することが可能である。
【先行技術文献】
【特許文献】
【０００７】
【特許文献１】実願昭５３−０３１４０２号のマイクロフィルム（公開実用昭和５４−１３６１４５号）
【特許文献２】実用新案登録第３００２９９４号公報
【特許文献３】特開平１０−１５５５４９号公報
【発明の概要】
【発明が解決しようとする課題】
【０００８】
上述したように特許文献１や特許文献２では、予洗いなどに固形石鹸を用いることができるようにした用具が示されている。しかしながら、この用具の固形石鹸が充填にて詰められる製品である場合、固形石鹸を限界まで使用した後には、消費者側では詰め替えが行なうことができず、容器や外筒、そして固形石鹸を出し入れする機構部材が不要物となってゴミが生じてしまう。
【０００９】
また特許文献１での固形石鹸とこの固形石鹸に組み付けられるナットとが一体となる詰め替え品や、特許文献２での固形石鹸と石鹸上下用円板とが一体となっている詰め替え品を製造することも可能であるが、固形石鹸を限界まで使用すると、やはりナットや石鹸上下用円板が不要物になるという問題がある。
【００１０】
さらに固形石鹸とナットとが一体とされた詰め替え品や、固形石鹸と石鹸上下用円板とが一体とされた詰め替え品を容器側に組み入れる場合、容器中央のネジ部分を回転させながら引き込まなければならず、詰め替え作業自体が煩雑になるという不具合が生じる。
【００１１】
そこで本発明は上記事情に鑑み、固形石鹸の詰め替えに際して、上記ナットや石鹸上下用円板などの不要物が生じないようにして、かつ詰め替えが簡単に行えるようにすることを課題とし、固形石鹸を用いた部分洗いに適した洗濯道具を提供することを目的とするものである。
【課題を解決するための手段】
【００１２】
（請求項１の発明）
本発明は上記課題を考慮してなされたもので、柱状の固形石鹸の端部を着脱可能に保持するスライダーと、両端部を開口とした筒体とを具備し、前記筒体は、内部に前記固形石鹸とこの固形石鹸を保持する前記スライダーを移動可能に収容していて、前記筒体の一端部の開口は、前記スライダーの移動により固形石鹸が進退可能な開口とされ、前記筒体の他端部の開口は、固形石鹸とこの固形石鹸を保持するスライダーとが筒体の内部に出し入れ可能な開口とされていて、前記スライダーは、筒体に係止してこの筒体に対する位置決めが可能とされ、スライダーの前記筒体に対する係止により、前記固形石鹸が筒体に対して位置決めされる構成を有することを特徴とする石鹸ホルダーを提供して、上記課題を解消するものである。
【００１３】
（請求項２の発明）
そして本発明において、上記筒体の筒壁に、上記スライダーの移動方向にして長孔状のガイド孔が開口されて、このガイド孔に沿って複数の爪形状とされた係止片が並べ設けられており、スライダーが前記複数の係止片に係脱可能に係止して、このスライダーの係止位置の変更により、上記固形石鹸の筒体に対する位置決め位置が変更可能とされていることが良好である。
【００１４】
（請求項３の発明）
また本発明において、上記筒体における一端部の開口側には、上記スライダーが当接して該スライダーが前記一端部の開口から抜け出るのを規制する規制手段が設けられていることが良好である。
【００１５】
（請求項４の発明）
また本発明において、上記スライダーには、上記筒体の内側から上記係止片に係脱可能に係止するストッパーと、前記ストッパーの係止片に対する係止を解除するロック解除用ボタンとが設けられていることが良好である。
【００１６】
（請求項５の発明）
また本発明において、上記筒体の下端部に筒壁を外方に張り出した凸部を有し、この凸部に、上記ガイド孔の下端に連続し、上記スライダーのロック解除用ボタンが通過可能とされている挿通孔が開口されていることが良好である。
【００１７】
（請求項６の発明）
また本発明において、上記スライダーは、上記固形石鹸の端部を一対の挟持体で挟み込んで保持する構造を有するものであって、前記一対の挟持体と、この一対の挟持体の間に位置して挟持体それぞれを回動可能に連結する作動バネとを備えていて、一対の挟持体の間の開け閉めにより、スライダーが固形石鹸の端部に着脱可能に保持する構成とされていることが良好である。
【００１８】
（請求項７の発明）
また本発明において、上記挟持体それぞれは、固形石鹸の周方向に係止する係止フレームと開閉操作片とからなり、一対の挟持体における前記開閉操作片の間の開け閉めにより前記係止フレームの間を開け閉めして、スライダーが固形石鹸の端部に着脱可能とされていることが良好である。
【００１９】
（請求項８の発明）
また本発明において、上記挟持体の係止フレームと開閉操作片との間に、水抜き開口が設けられていることが良好である。
【００２０】
（請求項９の発明）
また本発明おいて、上記筒体の筒壁には、スライダーの移動方向に沿って複数の孔が開口されて、この孔は、上記係止片への係止によりスライダーが位置決めされる位置ごとに配置されており、前記スライダーは、前記孔に係脱可能に係止する凸体を有していて、筒体内を移動するスライダーが位置決め位置に到達したときに、凸体の前記孔に対する係止によりスライダーが位置決め位置で移動停止可能に設けられているとともに、凸体が孔に衝突して衝突音を発する構成とされていることが良好である。
【００２１】
（請求項１０の発明）
また本発明において、上記筒体の内面には、この筒体の長さ方向に沿って位置し、上記固形石鹸が摺接可能とされたリブが設けられていることが良好である。
【００２２】
（請求項１１の発明）
また本発明において、上記リブには上記スライダーが摺接して、このリブとの摺接によりスライダーが筒体の長手方向に移動可能に案内されることが良好である。
【００２３】
（請求項１２の発明）
また本発明において、上記筒体の他端部の開口の開口周縁に、切り欠きが設けられていることが良好である。
【００２４】
（請求項１３の発明）
また本発明において、上記筒体は角柱状とされているものであることが良好である。
【００２５】
（請求項１４の発明）
また本発明において、ブラシを有するキャップを備えていて、該キャップは、上記筒体の両端部の開口の何れにも着脱可能とされていることが良好である。
【００２６】
（請求項１５の発明）
また本発明において、上記ブラシは、先端形状が異なる毛が交互に配置されてなるものであることが良好である。
【発明の効果】
【００２７】
（請求項１の発明の効果）
請求項１の発明によれば、柱状の固形石鹸を保持することができるスライダーを、筒体の内部に移動可能に収容するので、固形石鹸を保持したスライダーを一端部の開口側に移動させて固形石鹸を筒体の一端部の開口から出すことで、固形石鹸に触れることなしに固形石鹸を洗濯物に擦り付けることができる。また前記固形石鹸を筒体の内部に戻す場合もスライダーを移動させるという簡単な操作で行なえ、手間を要することがないという効果を奏する。
【００２８】
また筒体の他端部の開口からスライダーとそのスライダーが保持している固形石鹸とを取り出したり入れたりすることができるので、固形石鹸の詰め替え作業が頗る簡単になる。例えば、限界まで使用した固形石鹸をスライダーとともに筒体の他端部の開口から出して、その固形石鹸からスライダーを取り外し、新たな固形石鹸をスライダーで保持させて一緒にして筒体の内部に収容させることができる。
【００２９】
さらに、固形石鹸の詰め替えに際して、筒体やスライダーが不要物とならずに経済的である。そして石鹸ホルダーの構造が頗る簡単であり、この石鹸ホルダーの製造コストの低廉化を図ることができる。
【００３０】
またさらに、スライダーを筒体に係止させたスライダーの位置決めによって、固形石鹸が筒体に対して位置決めされるようにしているので、固形石鹸に触れることなしに筒体の内部で移動可能に配置させておくことができる。
【００３１】
（請求項２の発明の効果）
請求項２の発明によれば、筒体の一端部の開口から突き出る固形石鹸の突出度合いを必要に応じて簡単に選択することができる。
【００３２】
（請求項３の発明の効果）
請求項３の発明によれば、スライダーを筒体の一端部の開口側に向けて移動させる際に、そのスライダーが一端部の開口から誤って抜け出てしまうという不具合を確実に無くすことができる。
【００３３】
（請求項４の発明の効果）
請求項４の発明によれば、ストッパーが係止片に係止している状態を解除するロック解除用ボタンが設けられているので、そのロック解除用ボタンを操作することで、固形石鹸の位置決めされた状態から移動可能な状態への変更が迅速に行えるようになるという効果を奏する。
【００３４】
（請求項５の発明の効果）
請求項５の発明によれば、筒体の下端部に筒壁を外方に張り出した凸部を有し、この凸部に、上記ガイド孔の下端に連続し、上記スライダーのロック解除用ボタンが通過可能とされている挿通孔が開口されているので、筒体に出し入れするスライダーの上記ロック解除用ボタンと筒体の下端部とのぶつかりを避けるための筒壁分断部分を設ける必要がない。そして、筒体の下端部にガイド孔に連続するような筒壁分断部分を設けないことから、この筒体の下端部の剛性が損なわれることがない。
【００３５】
（請求項６の発明の効果）
請求項６の発明によれば、一対の挟持体の間の開け閉めで固形石鹸の端部を保持したり解放したりするので、固形石鹸へのスライダーの取り付けと取り外しとが頗る簡単になる。
【００３６】
（請求項７の発明の効果）
請求項７の発明によれば、洗濯バサミのように係止フレームの間を開けたり閉めたりすることができ、固形石鹸の端部を保持するときのスライダーの取り扱いが頗る簡単になる。
【００３７】
（請求項８の発明の効果）
固形石鹸を用いて部分洗いをする場合には、固形石鹸の突出部分を濡らして洗濯物に擦り付けるようにしている。そのため部分洗いを終えた後では石鹸の成分が溶け込んだ水が固形石鹸を伝いながら筒体の内部に入り込んで、本石鹸ホルダーを立て置きした場合にスライダーの部分にも達し、石鹸がふやけてスライダーから石鹸を取りはずしにくくなることが想定される。
【００３８】
そして請求項８の発明によれば、スライダーの係止フレームと開閉操作片との間に水抜き開口が設けられているので、石鹸ホルダーを立て置きした場合、石鹸の成分が溶け込んだ水は前記水抜き開口を通ることとなり、筒体の他端部の開口側へと流れ落ちる。そのため、筒体に入り込んだ水をスライダーの部分で溜めてしまうことを防止することができる。
【００３９】
（請求項９の発明の効果）
請求項９の発明によれば、筒体の内部をスライダーが移動する際、スライダーが備える凸体が上記孔に係脱可能に係止することで、位置決め位置でスライダーの移動停止ができるようにしたり凸体が前記孔に衝突して衝突音を生じさせるようにしている。そのためスライダーを移動させている操作をしている人は、スライダーを移動させる手に伝わる感触や音によって位置決めできる位置を知ることができる。
【００４０】
さらに筒体の筒壁に複数の孔が開口されているので、部分洗いで濡れした固形石鹸を伝って筒体の内部に水が入り、また水掛けをしながら本石鹸ホルダーを持って部分洗いをしてその水が筒体の内部に入った場合でも、その水を複数の孔から筒体の外部に流し出すことができるようになり、水に溶け込んだ石鹸成分が塊りとなって筒体の内面側に固着するのを抑えることができる。
【００４１】
（請求項１０の発明の効果）
請求項１０の発明によれば、筒体の内面に設けたリブによってその筒体の内面と固形石鹸の外面とを離し、その間に筒体の長さ方向に連続する水抜き用空間が形成されるようになる。そのため、本石鹸ホルダーを立て置きすることで、部分洗いをした際に筒体の内部に入った水を前記水抜き用空間を通して筒体の他端部の開口側へと簡単に案内でき、筒体の内部に入り込んだ水が溜まることを防止できる。
【００４２】
（請求項１１の発明の効果）
請求項１１の発明によれば、スライダーをリブに案内させて筒体の長手方向に移動させるようにしているので、スライダーの移動にガタ付きを生じさせないという効果を奏する。
【００４３】
（請求項１２の発明の効果）
部分洗いで筒体の内部に水が入り込んでいて、筒体の他端部が下となるように本石鹸ホルダーを立て置きした際に、筒体の他端部側に水が移動することとなる。
【００４４】
そして請求項１２の発明によれば、前記他端部の開口の開口周縁に切り欠きが設けられているので、前記他端部に移動してきた水が、切り欠きを通して外部にスムーズに流れ出るようになる。
【００４５】
（請求項１３の発明の効果）
請求項１３の発明によれば、筒体が角柱状とされているので、石鹸ホルダーが水で濡れしていても確実に掴むことができ、筒体の一端部の開口から出ている固形石鹸の所望の箇所を確実に洗濯物に当てることができる。また、石鹸ホルダーを横置きしても、転がりにくくなる。
【００４６】
（請求項１４の発明の効果）
請求項１４の発明によれば、ブラシを別途に用意する必要がない。また筒体の一端部の開口から固形石鹸を出して、他端部の開口にはブラシ付きのキャップを取り付けることで、本石鹸ホルダーの上下反転で、ブラシを用いた部分洗いが簡単に行えるようになる。
【００４７】
（請求項１５の発明の効果）
ブラシ洗いする際に洗濯物の布地に毛の先端が擦ることとなり、毛の先端形状が異なれば、布地への毛先の当たり方が相違し、毛の先端形状ごとに汚れの取り除き方が相違する。
【００４８】
そして請求項１５の発明によれば、ブラシは、先端形状が異なる毛が交互に配置されてなるものであるので、布地に付着した汚れに対して、二種の取り除き方を一つのブラシにて実施することができるようになるという優れた効果を奏するものである。
【図面の簡単な説明】
【００４９】
【図１】本発明に係る石鹸ホルダーの実施の形態を正面斜め上方から見た状態で示す説明図である。
【図２】石鹸ホルダーを分離した状態で示す説明図である。
【図３】孔が開口された筒壁側を示す説明図である。
【図４】筒体の他端部の開口側を示す説明図である。
【図５】固形石鹸を示すもので、（ａ）は上方から見た状態を示す説明図、（ｂ）は側方から見た状態を示す説明図、（ｃ）は下端部の端面を示す説明図、（ｄ）は（ｂ）のＡ−Ａ線に沿った位置でのくびれ部分を断面で示す説明図である。
【図６】スライダーを斜視状態で示す説明図である。
【図７】筒体の内部にスライダーを収容した状態を示す説明図である。
【図８】スライダーのガイド板が設けられていない挟持体の側面を示す説明図である。
【図９】キャップを示すもので、（ａ）はブラシ側から見た平面を示す説明図、（ｂ）は側方から見て一部を切り欠いて示す説明図、（ｃ）は他の側方から見て一部を切り欠いて示す説明図である。
【図１０】キャップのブラシにおける毛の先端形状を示す説明図である。
【発明を実施するための形態】
【００５０】
つぎに本発明を図１から図１０に示す実施の形態に基づいて詳細に説明する。図中１は洗濯での部分洗いなどに用いる石鹸ホルダー１である。そしてこの石鹸ホルダー１は図１、図２、図４に示されているように、両端部を開口した筒体２と、この筒体２の内部に移動可能にして収容される柱状の固形石鹸３の端部を保持してこの固形石鹸３と共に前記筒体２の内部に移動可能にして収容されるスライダー４とで構成されており、更に本実施の形態では、前記筒体２の両端部の開口に取り付けることが可能とされたキャップ５を備えているものである。
【００５１】
この石鹸ホルダー１は、上記スライダー４の操作によって上記筒体２の一端部の開口から固形石鹸３を突出させ、その突出した固形石鹸３の突出部分を洗濯物の部分洗いする箇所に水付けをしながら擦り付けて、その部分洗いする箇所の汚れを落とすための道具であり、以下に示す工夫が施されている。
【００５２】
（筒体）
上記筒体２は略六角柱形状とされていて、縦置きしたときの上部となる一端部の開口６からこの筒体２の内部に収容されている固形石鹸３を出し入れして突出させることができるとともに、固形石鹸３を内部に後退させた状態でこの一端部の開口６に上記キャップ５を着脱可能に被せ付けることで閉じることができるように設けられている。
【００５３】
筒体２は縦置きした状態を安定させるために、その縦置きしたときの下部となる他端部はこの筒体２の胴部分より広がっている。そして他端部の開口７は一端部の開口６より広口にされていて、開口７の内側にキャップ５を着脱可能に取り付けることができるように設けられている。図２参照
【００５４】
（筒体：係止片）
筒体２は、内部に移動可能に収容されているスライダー４をこの筒体２に対して複数の位置で位置決めするために使用される仕組みを有している。図１、図２に示すように筒体２の筒壁の一つの面に、筒体２の長さ方向であってスライダー４の移動方向に開口された長孔状のガイド孔８が設けられている。
【００５５】
そして上記ガイド孔８の長手側の側辺それぞれを鋸刃状にすることによって、このガイド孔８に沿って複数の爪形状の係止片９が一定間隔で並ぶように形成されており、ガイド孔８の側辺それぞれの係止片９は、ガイド孔８を中心にして対称位置となるように配置されている。
【００５６】
ガイド孔８の上端は筒体２の一端部（上部）に至る手前に位置しているとともに、ガイド孔８の下端も筒体２の他端部（下部）に至る手前で位置しており、ガイド孔８が筒壁を分断する形態とせずに筒体２の強度を保つように図られている。
【００５７】
ガイド孔８の下端は、筒体２の他端部の筒壁の一部を外方に張り出させた凸部１０に開口された挿通孔１１に連続していて、筒体２の他端部の開口７から固形石鹸３と共に挿入される上記スライダー４の一部分（後述のロック解除用ボタン）が、この挿通孔１１を通ってガイド孔８に入ることができるようにしている。
【００５８】
（筒体：リブ）
上述したように筒体２が略六角柱形状とされ、平らな六面の筒壁の内、上記係止片９が配された正面側の平らな筒壁と後面側の平らな筒壁とを除く残り四面の平らな筒壁の内面それぞれに、筒体２の内方に向けた突条からなるリブ１２が設けられている。図２、図４参照
【００５９】
そしてリブ１２は筒体２の一端部の開口６の高さ位置から筒体２の長さ方向（スライダー４の移動方向）に沿っていて、筒体２の下部側（他端部の開口７側）の拡径部分との境となる高さ位置までの範囲に配置されている。
【００６０】
さらにスライダー４は、上記リブ１２に対して摺接して筒体２の長手方向に移動可能である。リブ１２とスライダー４とが摺接し合う構成とすることで、スライダー４がこのリブ１２に案内されながら移動し、固形石鹸３を一端部の開口６から突出させたり筒体２の内部に後退させたりする操作がスムーズに行えるようにしている。勿論、固形石鹸３の移動がリブ１２にて妨げられることはないように設けられている。
【００６１】
なお、筒体２は内方に四本の上記リブ１２を一体にして備えることで強度が高められている。
【００６２】
（筒体：下部の切り欠き）
また、筒体２には、本石鹸ホルダー１を縦置きしたときに下となる上記他端部の開口７の開口周縁において、他端部側の上記挿入孔１０に反対側となる位置にして切り欠き１４が設けられている。本石鹸ホルダー１を縦置きした際、筒体２の内部に入っていた水が他端部側に落ちることとなり、その水が切り欠き１４から外部に流れ出易くする。図３参照
【００６３】
（固形石鹸）
固形石鹸３は、上記スライダー４にて端部が保持された状態でこのスライダー４と共に、筒体２の他端部の開口７から筒体２の内部に出し入れ可能にして収容される。また固形石鹸３はスライダー４の移動によって一端部の開口６から上方に向けて突出するように進退可能に設けられている。さらにスライダー４を筒体２に対する係止により位置決めされることで、固形石鹸３は筒体２に対して位置決めがなされる。
【００６４】
例えば、部分洗いに際して固形石鹸３を一端部の開口６から突出させた状態となるように筒体２に対して位置決めできるとともに、筒体２に収容した状態でこの筒体２に対して位置決めされるものであり、スライダー４の筒体２に対する係脱可能な係止によって固形石鹸３の位置が定められるようにしている。
【００６５】
図５に示すように固形石鹸３は、周面の六か所に外方に角立つ稜線部分を備える略六角形状に設けられており、筒体２の内部では上記リブ１２と固形石鹸３の側面とが対応し、その平らな面がリブ１２と摺接可能に接する。そして他端部の開口７を通して筒体２の内部に収容するときや一端部の開口６から出し入れするときに、固形石鹸３がリブ１２に案内されるので、固形石鹸３の筒体２の長手方向に沿った移動がスムーズになる。
【００６６】
（水抜き用空間）
上述したように筒体２の筒壁の内面にリブ１２を設けているので、このリブ１２が、固形石鹸３の周面側に向けて突出した突条の形態のものとなる。そして、前記リブ１２の存在により、筒体２の筒壁の内面における平らな部分と固形石鹸３の何れかの側面とがぴったりと密着するということがなく、筒体２の筒壁の内面の平らな部分と固形石鹸３との間を離しておくことができるメリットがある。そのため、石鹸ホルダー１では、筒体２の筒壁の内面と固形石鹸３の外面との間に、筒体２の長さ方向に連続する水抜き用空間１５が形成されている。
【００６７】
このように筒体２の筒壁の内面と固形石鹸３の外面との間に水抜き用空間１５が形成されているので、部分洗いに際して筒体２の内部に入った水が本石鹸ホルダー１を縦置きすることで水抜き用空間１５を通って簡単に他端部の開口７側に流れ落ちるようになる。
【００６８】
そして、水に溶け込んでいた石鹸成分は、筒体２の筒壁の内面と固形石鹸３の外面との間に残留せず、筒体２の筒壁の内面に石鹸成分の塊りが生じて固形石鹸３やスライダー４の移動を損なうことがないようになる。
【００６９】
（固形石鹸のくびれ部分）
固形石鹸３の端部には横断面の形状を略正六角形状としたくびれ部分１６が設けられている。そして上記スライダー４が前記くびれ部分１６における少なくとも対向二面の平面を挟み持つようにして固形石鹸３の端部を保持するものとされており、これによってスライダー４が固形石鹸３を軸回転不能に保持する。そのため、部分洗いにおいて、筒体２を持ちながら固形石鹸３を洗濯物に擦り付けるときに、固形石鹸３が単独で軸回転してしまうのを防止できる。
【００７０】
（スライダー）
図６に示すようにスライダー４は、一対の挟持体１７と、この一対の挟持体１７の間に位置して、挟持体１７それぞれを回動可能に連結する断面略Ｕ字状の作動バネ１８とを備えてなるものであり、一対の挟持体１７とその間の作動バネ１８とが合成樹脂材により一体に成形されている。
【００７１】
さらに一対の挟持体１７の間の開け閉めにより固形石鹸３の端部に着脱可能とされ、挟持体１７の後述する作用端となる部分の間隔が維持される方向に作動バネ１８の復元力が作用するように設けられている。これによってスライダー４は、固形石鹸３における上記くびれ部分１６を含む端部を洗濯バサミのように一対の挟持体１７で挟み込むことで保持する構造を有しているものである。
【００７２】
（挟持体）
上記一対の挟持体１７それぞれは、固形石鹸３の端部を保持するに際して作用端の役割を果たす係止フレーム１９と、係止フレーム１９が上面に立設されている座板２０と、この座板２０の下面に位置する開閉操作片２１とからなるものであり、座板２０を間にした状態で係止フレーム１９と座板２０と開閉操作片２１とが一体に形成されている。
【００７３】
そして一対の挟持体１７においては、洗濯バサミのように上記開閉操作片２１の間の開け閉めを行なうことで係止フレーム１９の間が開け閉めされ、係止フレーム１９が対となって固形石鹸３の端部に着脱可能に係止する。これによってスライダー４が固形石鹸３のくびれ部分１６を含む端部を着脱可能に保持する。
【００７４】
挟持体１７の上記係止フレーム１９は、固形石鹸３の下端面を受ける上記座板２０から立ち上がる二本の縦材２２と、この二本の縦材２２の間に亘って設けられていて、固形石鹸３のくびれ部分１６に入り込む横材２３とからなり、横材２３の端部それぞれに縦材２２が連続した略門状に形成されている。
【００７５】
係止フレーム１９それぞれの上記横材２３は、断面略正六角形状のくびれ部分１６の連続する三面を受ける折曲した形状とされ、対の係止フレーム１９が向かい合うことで、二つの横材２３がくびれ部分１６の六面に密に接触するようにしている。このためスライダー４が固定石鹸３を保持すれば、固定石鹸３が単独で軸回転することがない。
【００７６】
固形石鹸３の端部を保持する上記スライダー４では、係止フレーム１９を略門状にしていて座板２０との間で水抜き開口２４が設けられており、この水抜き開口２４の位置から固形石鹸３の最下端部が側方に食み出るようにしている。図７参照
【００７７】
上述のようにスライダー４では、固形石鹸３の最下端部が食み出るようにした水抜き開口２４を設けているので、固形石鹸３の外周を伝う水がその固形石鹸の最下端部に達したとしても、スライダー４がその水を溜め受けることはない。そして本石鹸ホルダー１を縦置きすれば、その水は筒体２の上記他端部の開口７側へと流し落ちることとなり、スライダー４では固形石鹸３の端部を保持する部分に、石鹸成分の塊りが固着することが防止される。
【００７８】
（係止爪への係止と解除）
スライダー４は、筒体２の上記係止片９に係脱可能に係止して筒体２に対して位置決めされるとともに、係止する係止片９を変えることで筒体２への位置決め位置を変更するための仕組みを備えている。
【００７９】
図７に示されているようにスライダー４の一対の挟持体１７の内、一方の挟持体１７が筒体２の内部での正面側に配置されるとともに、他方の挟持体１７は筒体２の内部における後面側に配置される。そして一方の挟持体１７には、正面の筒壁の内面に摺接するバネ板２５が開閉操作片２１の基端側（座板側）に設けられていて、前記バネ板２５は湾曲して常時外方に向けて筒壁を押す方向に復元力が生じている。
【００８０】
（ストッパー）
またバネ板２５の筒壁側となる面（摺接面）に、ガイド孔８を通過してこのガイド孔８の長さ方向に移動できる厚さのガイド板２６が設けられて、このガイド板２６の一部が筒体２の外方に張り出ている。そしてガイド板２６の基端の両側部それぞれからバネ板２５にかけてストッパー２７が一体に設けられている。
【００８１】
上記係止片９それぞれの上辺部分は、係止して位置決めされたスライダー４が筒体２の他端部（下部）側に不用意に移動しないようにスライダー４の移動方向とほぼ直交する方向に沿っており、また係止片９それぞれの下辺部分は、スライダー４の移動方向（ガイド孔８の長手方向）に対して傾斜する方向に沿っていて、ガイド孔８の長さ方向に沿って下るに従ってガイド孔８の中心位置から離れる傾斜とされ、下位の係止片９の上辺部分に連続している。
【００８２】
一方、ガイド板２６の両側に位置するストッパー２７それぞれの下辺部分が、係止片９に適切に係止するようにスライダー４の移動方向に直交する方向に沿っているとともに、その下辺部分から上方に向けて連続する側辺部分が、ガイド板２６に近付いて傾斜する方向に沿っている。
【００８３】
上下の係止片９の位置の間の空間は、平面視で略三角形状となっている。そしてこの上下の係止片９の位置の間の空間形状に対応するように、対のストッパー２７とストッパー２７の間でのガイド板２６とを含めた形状も、平面視で略三角形状となるように設けられている。
【００８４】
そしてスライダー４の移動で、係止片９にストッパー２７が係止する位置に差し掛かった際、上記バネ板２５による付勢にて筒体２の内方から外方に向けて押し出され、ストッパー２７それぞれが、上下の係止片９の位置の間で形成された略三角形状の空間に嵌まり込んでガタ付くことなしに、かつ係止片９に適正に係止して、スライダー４を位置決めする。
【００８５】
上記ガイド板２６にはロック解除用ボタン２８が設けられている。このロック解除用ボタン２８をバネ板２５の付勢力（復元力）に抗して筒体２の内部に向けて押し込むことで、上記ストッパー２７が係止片９から外れて筒体２の内部に移動し、ストッパー２７の係止片９に対する係止状態が解除される。
【００８６】
これによってスライダー４が筒体２に対して位置決めされた状態（ロック）が解かれ、上方や下方の係止片９にストッパー２７を係止させるためにスライダー４を前記ロック解除用ボタン２８を押した状態のままで移動させることができ、新たな位置決め位置に達した時点でロック解除用ボタン２８の押し込みをやめると、再びストッパー２７がバネ板２５によって外方に押し出されて係止片９と係止して、スライダー４の位置決め位置の変更が行なえる。
【００８７】
勿論、スライダー４が固形石鹸３の端部を保持しているので、上記スライダー４の筒体２に対する位置決め位置の変更により、固形石鹸３の筒体２に対する位置決め位置が変更されることとなる。
【００８８】
上記ストッパー２７それぞれは、下辺部分から尖頭部分にかけて厚さが徐々に薄くされて上面がバネ板２５に向けて傾斜している。そのため、スライダー４を筒体２の一端部の開口６側に向けて位置決め位置を変更する場合（即ち、固形石鹸３を一端部の開口から突出させる操作を行なう場合）には、ロック解除用ボタン２８を軽く押し込むようにしながら、このロック解除用ボタン２８を筒体２の上部側に移動させるようにすればよい。
【００８９】
ロック解除用ボタン２８を軽く押し込みながら筒体２の上部側に移動させれば、ストッパー２７の尖頭部分が、係止片９の下辺部分に摺接しながら筒体２の内部に向けて滑り込みをするようになり、そのため、若干の抵抗を受けることにはなるが、小さな力でスライダー４の位置決め位置を一端部の開口６側の位置に変更することが行なえ、固形石鹸３の一端部の開口６からの突出操作が極めて簡単に行えるようにしている。
【００９０】
筒体２の下部に開口した挿通孔１１は、固形石鹸３とスライダー４とを共に筒体２の下端部の開口７から挿入する際に、上記ガイド板２６とロック解除用ボタン２８とを通過させるための孔である。
【００９１】
（抜け防止）
筒体２の下端部の開口７から固形石鹸３とスライダー４とを挿入して筒体２の内部に配置した後には、上述したようにロック解除用ボタン２８を押し込みながらストッパー２７と係止片９との係止関係が解除された状態にすることで、固形石鹸３と共にスライダー４を筒体２の上下方向に移動させることができ、スライダー４を上方に移動させていけば、ガイド孔８の閉じた上端部分にロック解除用ボタン２８が到達することとなる。
【００９２】
そして、図７に示されているようにスライダー４のガイド板２６がガイド孔８を通って筒体２の外側に延びているとともに、ガイド板２６に連続するロック解除用ボタン２８が筒体２の外側に位置しているので、ロック解除用ボタン２８がガイド孔８の上端部分に到達した時点で、スライダー４の上方移動が停止し、固形石鹸３とスライダー４とが筒体２から抜けるのが防止されるようになる。
【００９３】
（位置決め位置到達表現手段）
上述したように上記ロック解除用ボタン２８を押し込みながらスライダー４を筒体２の長手方向に沿って一端部の開口６側に向けて移動させることができるとともに、他端部の開口７側に向けても移動させることができる。しかしながら、ストッパー２７と係止片９との当接が生じない状態でスライダー４を移動させた場合、スライダー４が所望の位置決め位置に到達しているにもかかわらず、係止片９がロック解除用ボタン２８を押し込む指で隠れることで、その到達が判断し難くなることがある。
【００９４】
そこで本石鹸ホルダー１では、スライダー４を移動させているときに、係止片９に対応した位置決め位置にスライダー４が達したことを知らせる工夫が施されている。
【００９５】
（筒壁の孔）
まず、図３に示すように筒体２の上記係止片９が配されている筒壁と対向する筒壁、即ち後面側の筒壁にはスライダー４の移動方向（筒体２の長手方向）に沿って複数の孔１３が開口されている。
【００９６】
また、スライダー４における一対の挟持体１７の内、筒体２の後面側に位置する挟持体１７の開閉操作片２１に、筒壁に向けて突出した凸体２９が設けられている。前記凸体２９は孔１３が配列されている線上を摺接して移動することができるもので、孔１３の開口幅（石鹸ホルダーの周方向での開口幅）より狭い幅にして成形されており、孔１３に係脱可能に係止する。
【００９７】
そして複数の孔１３は、係止片９への係止によりスライダー４が位置決めされる位置ごとに配置されていて、筒体２の内部をスライダー４が移動する際、スライダー４の凸体２９が孔１３に係脱可能に係止することで、位置決め位置でスライダー４の移動停止ができるようにしたり凸体２９が孔１３に衝突して衝突音を生じさせるようにしている。
【００９８】
このように孔１３と凸体２９とで、移動するスライダー４が位置決め位置に到達したことをそのスライダーの移動停止や衝突音で表す位置決め位置到達表現手段３０が構成されていて、スライダーを移動させている操作をしている人は、スライダーを移動させる手に伝わる感触や音によって位置決めできる位置を簡単に知ることができるように設けられている。図７参照
【００９９】
なお、本石鹸ホルダー１にて水掛けなどしながら固形石鹸３を洗濯物に擦り付ける作業をしているときに筒体２の内部に水が入り込むが、筒体２の筒壁に上記複数の孔１３が開口されているので、この孔１３からも水が筒体２の外部に流れ出るようになり、この孔１３それぞれが、筒体２の内部で水が溜まらないようにする役割も兼ねるものとなる。
【０１００】
（挟持体のガイド突起）
符号３１は挟持体１７の座板２０の端部に突設したガイド突起であり、このガイド突起３１がリブ１２に摺接するものとされており、ガイド突起３１がリブ１２に案内されることで、スライダー４がスムーズに筒体２の長手方向に移動する。
【０１０１】
（規制手段）
また符号３２は、筒体２における一端部の開口６側の内面に設けられた規制手段を示している。この規制手段３２は、一端部の開口６に向けて移動するスライダー４が当接し、そのスライダー４が一端部の開口６から食み出るのを規制するものである。
【０１０２】
本実施の形態では、上記規制手段３２は、筒体２における一端部の開口６側の筒壁に、筒体２の内方に向けての厚さが大きくなるようにした厚肉部３３を設け、その厚肉部３３の下縁の段差部分から形成されているものである。そして一端部の開口６における前記厚肉部３３で囲まれた領域については、固形石鹸３が通過できる広さとされているが、上方に向けて移動してきたスライダー４の上記ガイド突起３１が規制手段３２に当接することで、そのスライダー４が停止し、それ以上上方には移動することができないように設けられている。
【０１０３】
（スライダーの表示）
挟持体１７の座板２０それぞれの上面には、図６に示されているように「こちらにせっけん」と文字表記した注意表示３９が設けられており、スライダー４に固形石鹸３を取り付けるときに、固形石鹸３のくびれ部分１６側の端部を座板２０に当てるようにすることを使用者が理解し易いようにしている。
【０１０４】
また、上記ガイド板２６が設けられていない挟持体１７の開閉操作片２１には、スライダー４を筒体２に差し込む際の挿入方向表示４０が矢印の形状で示されている。図８参照
【０１０５】
（ボタン押し込みの規制）
上記ロック解除用ボタン２８での開閉操作片２１側となる面には、図７に示すようにガイド板２６を挟む配置にして凸体４１が一体にして設けられている。この凸体４１は、スライダー４を移動させるためにロック解除用ボタン２８を押し込み、ストッパー２７と係止片９との係止関係が解けたとき、筒体２に当接するものであり、必要以上のロック解除用ボタン２８の押し込みを規制するものである。
【０１０６】
上記凸体４１が存在しない場合、必要以上にロック解除用ボタン２８が押し込まれるとバネ板２５を介して一方の挟持体１７が筒体２の中心側にズレて、リブ１２によるスライダー４の案内が不良になり易い。
【０１０７】
この点、本実施の形態では、上記凸体４１が設けられていて、ロック解除用ボタン２８が必要以上に押し込まれないようにしているので、リブ１２によるスライダー４の案内がより良好になる。
【０１０８】
（キャップ）
キャップ５は、図９に示されているように多数本の毛３４を立てたブラシ３５を天板３６に備えている。キャップ５自体は上述したように筒体２の一端部の開口６を覆うようにして筒体２の上部に被せ付けることができるとともに、部分洗いに際してブラシ洗いを行なう際には、筒体２の他端部の拡径された開口７の内側に取り付けて、下に突出するように配したブラシ３５を洗濯物に当てることができる。なお、下端部の開口７に取り付けたキャップ５を取り外すときには、上記切り欠き１４に表われるキャップ側面に指先を当てて抜き取るようにすることが簡単である。
【０１０９】
ブラシ３５における毛３１は、先端形状が異なる二種のものが交互に周方向（キャップ周方向）に並べ設けられており、先端形状の相違から洗濯物の布地に対する毛先の当て方が二種となった状態で一度にブラシ洗いをすることができるようにしている。そして毛３１は、本実施の形態では、同心円状に７周配置されている。
【０１１０】
毛３４の先端形状の異ならせ方自体は限定されるものではないが、例えば、複数本の毛３４の先端を拡大した図１０に示すように一方の毛３４ａの先端形状を平鑿状とするとともに、他方の毛３４ｂの先端形状を針状とすれば、平鑿状の毛３４ａにて洗濯物の布地表面に広がって付着した汚れを削り取り、針状とした毛３４ｂにて布目の細かい部分に入り込んだ汚れをかき出すことが、ブラシ洗いの時点で同時に行えるようになる。
【０１１１】
（キャップの水抜き孔）
図９ではキャップ５について、ブラシ３５側から見た状態（ａ）と、一部を縦断面にして側方から見た状態（ｂ）と、異なる一部を縦断面にして側方から見た状態（ｃ）とが示されている。この図９に示されているように、天板３６において段付き形成されてブラシ３５が起立している円板部３７の中央の位置とこの円板部３７の周囲の等間隔の位置とに水抜き孔３８が設けられ、この水抜き孔３８は天板３６を貫通している。
【０１１２】
この天板３６に設けられている水抜き孔３８の役割はつぎの通りである。洗濯物に対してブラシ洗いをする場合、ブラシ３５の部分が下に向くようにしてキャップ５を筒体２の開口７に取り付けて、ブラシ３５を洗濯物に当ててこするようにする。このとき固形石鹸３やスライダー４に付いている水や筒体２の内面に付いている水が、その筒体２の内部を移動してキャップ５の内部に入り込むようになる。
【０１１３】
この点を考慮して天板３６の複数個所に水抜き孔３８が設けられており、ブラシ３５の位置を下向きにしてブラシ洗いをしているときにも、キャップ５の内部に流れ込んできた水を水抜き孔３８から外部に流し落として、そのキャップ５の内部に水が溜まらないようにしている。また、水抜き孔３８を設けることにより、図１に示すように、キャップ５を筒体２に取り付けて固形石鹸３を保管する場合、キャップ５内部の通気性を向上させ、固形石鹸３が筒体２内面側に固着することを防止することができる。
【０１１４】
なお、上記実施の形態において筒体や固形石鹸を略六角形状のものとして示したが、四角形状や円形状等、本発明はこれに限定されるものでない。
【符号の説明】
【０１１５】
１…石鹸ホルダー
２…筒体
３…固形石鹸
４…スライダー
５…キャップ
６、７…開口
８…ガイド孔
９…係止片
１０…凸部
１２…リブ
１３…孔
１４…切り欠き
１５…水抜き用空間
１６…くびれ部分
１７…挟持体
１９…係止フレーム
２１…開閉操作片
２４…スライダーの水抜き開口
２７…ストッパー
２８…ロック解除用ボタン
２９…凸体
３０…位置決め位置到達表現手段
３１…ガイド突起
３２…規制手段
３４…ブラシの毛
３５…キャップのブラシ
３４ａ…平鑿の毛
３４ｂ…針状の毛
３８…キャップの水抜き孔
【図１】
2019080625.tif 000003
【図２】
2019080625.tif 000004
【図３】
2019080625.tif 000005
【図４】
2019080625.tif 000006
【図５】
2019080625.tif 000007
【図６】
2019080625.tif 000008
【図７】
2019080625.tif 000009
【図８】
2019080625.tif 000010
【図９】
2019080625.tif 000011
【図１０】
2019080625.tif 000012